(57)【特許請求の範囲】
【請求項１】
放送データを受信する受信手段と、
前記受信した放送データを視聴する視聴手段と、
視聴予約された視聴予約番組の開始に応じて、前記受信手段による受信を当該視聴予約番組の放送データに変更する予約手段と、
端末装置との間での無線通信を接続する通信接続手段と、
前記受信手段で受信する放送データの出力先として、前記視聴手段と前記無線通信が接続された端末装置とのいずれか一方を選択する出力選択手段と、を備え、
前記出力選択手段は、少なくとも前記通信接続手段により前記端末装置との無線通信が接続されている状態において、前記視聴予約番組が開始する場合、放送データの出力先として前記端末装置を選択する、
ことを特徴とする放送受信装置。
【請求項２】
前記出力選択手段は、前記端末装置との無線通信が接続され、且つ、当該端末装置からの要求に基づいて、前記受信した放送データの出力先として当該端末装置を選択している状態において、前記視聴予約番組が開始する場合、継続して放送データの出力先として当該端末装置を選択する、
ことを特徴とする請求項１に記載の放送受信装置。
【請求項３】
前記予約手段は、録画予約された録画予約番組の開始に応じて、当該録画予約番組の放送データを録画データとして保存し、
前記出力選択手段は、前記端末装置との無線通信が接続され、且つ、当該端末装置からの要求に基づいて、前記保存された録画データを当該端末装置に送信している状態において、前記視聴予約番組が開始する場合、放送データの出力先として当該端末装置を選択する、
ことを特徴とする請求項１又は請求項２に記載の放送受信装置。
【請求項４】
放送データの前記端末装置への送信中において、前記視聴予約番組の開始から所定時間前の視聴予約確認時間に到達した場合、当該端末装置に視聴予約番組を視聴するか否かを問い合わせる視聴確認手段を備え、
前記予約手段は、前記視聴確認手段による問合せに対して前記端末装置から視聴する旨の回答を受信した場合に、当該視聴予約番組の放送データを前記端末装置に送信する、
ことを特徴とする請求項１、請求項２、又は請求項３に記載の放送受信装置。
【請求項５】
前記予約手段は、前記視聴確認手段による問合せに対して前記端末装置から視聴しない旨の回答を受信した場合に、前記送信中の放送データを端末装置に送信する、
ことを特徴とする請求項４に記載の放送受信装置。
【請求項６】
前記視聴予約番組が開始する前に前記端末装置に送信していた状態を視聴予約開始前状態として記憶する視聴予約開始前状態記憶手段、を備え、
前記予約手段は、前記端末装置に送信した視聴予約番組の放送データが終了した場合に、前記視聴予約開始前状態記憶手段に記憶した視聴予約開始前状態に戻す、
ことを特徴とする請求項１から請求項５のうちのいずれか１の請求項に記載の放送受信装置。
【請求項７】
前記視聴予約開始前状態記憶手段は、前記視聴予約番組が開始する前に前記端末装置に送信していた放送データのチャンネルを記憶し、
前記予約手段は、前記端末装置に送信した視聴予約番組の放送データが終了した場合に、前記視聴予約開始前状態記憶手段に記憶したチャンネルの放送データを前記端末装置に送信する、
ことを特徴とする請求項６に記載の放送受信装置。
【発明の詳細な説明】
【技術分野】
【０００１】
本発明は、放送受信装置に係り、視聴忘れを防止するための視聴予約機能を備えた放送受信装置に関する。
【背景技術】
【０００２】
テレビ放送やラジオ放送の電波を受信し、受信した画像や音声を出力するテレビ受像器やラジオ受信機などの放送受信装置が広く普及している。
放送受信装置に対し、視聴したい番組の視聴し忘れを防止するために、予めチャンネル（以下、ＣＨという）や時間等を指定することで視聴予約する技術が提案されている（特許文献１）。この技術によれば放送受信装置は、指定した時間に到達した際、視聴予約されたＣＨに自動で切り替えるようにしている。これによって、ユーザは他の番組を見ていた場合であっても、そのことが原因で見たい番組を見逃すということが防止される。
【０００３】
放送受信装置には、受信した放送データを他のスマートフォン（以下スマホという）等の端末装置に送信（転送）する機能を備えたものも存在している。これにより、チューナを備えていない端末装置であっても、放送受信装置から送信される放送データを受信し、視聴することが可能になる。
【０００４】
図１２は、放送データの送信中に視聴予約時間になった場合の、放送受信装置と端末装置での表示画面の変化を表したものである。
いま、放送受信装置（以下、ＴＶ装置という）では、予め０２ＣＨの番組が予約されていると共に、その予約時間前において端末装置であるスマホから放送受信装置に対して０２ＣＨの視聴要求がされているものとする。
この場合、ＴＶ装置は、スマホからの要求に基づいて自装置のチューナで受信した０１ＣＨをスマホに送信する。これによりスマホでは送信される０１ＣＨのリアルタイム視聴が行われる。
一方、０１ＣＨの受信データを端末装置に送信しているので、ＴＶ装置では、デジタル写真等のスライドショーや録画済みの放送データ等、チューナで受信中の放送データ以外を出力するか、又は画面を消灯することになる。
そして、視聴予約の時間になると（ステップ８１Ｔ；Ｙ）、ＴＶ装置はスマホへのＣＨデータの送信を終了すると共に、受信ＣＨを０１ＣＨから予約済みの０２ＣＨに変更し、その出力対象をスマホからＴＶ装置に切り替える（ステップ８２Ｔ）。
一方、スマホ側ではＴＶ装置からＣＨデータを受信しているかを監視し（ステップ８１Ｓ）、ＴＶ装置からのデータ送信が終了すると（ステップ８１Ｓ；Ｎ）、「表示がＴＶ側に切り替わりました。」等の視聴停止画面を表示する（ステップ８２Ｓ）。これによりスマホ側では、ＴＶ装置側での表示に切り替わったことがスマホユーザに報知される。
【０００５】
このように、視聴予約を設定したＴＶ装置が放送データを送信し、これをスマホで視聴していた場合、指定した時間に到達すると視聴予約を設定したＴＶ装置で放送データを表示（テレビ視聴を開始）してしまう。これは、放送データをリアルタイムに視聴する場合、１チューナに対して１端末での視聴に制限されているためである。
このため、スマホで放送データを視聴していたユーザは途中で視聴を中止されてしまい、かつ、視聴予約をした番組を見逃してしまうという問題がある。
ユーザが視聴予約した番組を視聴するためには、切り替えられたＴＶ装置まで移動してＴＶ装置で視聴するか、又は、スマホからＴＶ装置に対して再度出力対象を切り替える操作をスマホで行う必要があった。
【先行技術文献】
【特許文献】
【０００６】
【特許文献１】特開２００６−３３５４８号公報
【発明の概要】
【発明が解決しようとする課題】
【０００７】
本発明は、視聴予約した番組を端末装置で見逃すことなく、また、複雑な操作なしで継続して端末装置で視聴継続することを目的とする。
【課題を解決するための手段】
【０００８】
（１）請求項１に記載の発明では、放送データを受信する受信手段と、前記受信した放送データを視聴する視聴手段と、視聴予約された視聴予約番組の開始に応じて、前記受信手段による受信を当該視聴予約番組の放送データに変更する予約手段と、端末装置との間での無線通信を接続する通信接続手段と、前記受信手段で受信する放送データの出力先として、前記視聴手段と前記無線通信が接続された端末装置とのいずれか一方を選択する出力選択手段と、を備え、前記出力選択手段は、少なくとも前記通信接続手段により前記端末装置との無線通信が接続されている状態において、前記視聴予約番組が開始する場合、放送データの出力先として前記端末装置を選択する、ことを特徴とする放送受信装置を提供する。
（２）請求項２に記載の発明では、前記出力選択手段は、前記端末装置との無線通信が接続され、且つ、当該端末装置からの要求に基づいて、前記受信した放送データの出力先として当該端末装置を選択している状態において、前記視聴予約番組が開始する場合、継続して放送データの出力先として当該端末装置を選択する、ことを特徴とする請求項１に記載の放送受信装置を提供する。
（３）請求項３に記載の発明では、前記予約手段は、録画予約された録画予約番組の開始に応じて、当該録画予約番組の放送データを録画データとして保存し、前記出力選択手段は、前記端末装置との無線通信が接続され、且つ、当該端末装置からの要求に基づいて、前記保存された録画データを当該端末装置に送信している状態において、前記視聴予約番組が開始する場合、放送データの出力先として当該端末装置を選択する、ことを特徴とする請求項１又は請求項２に記載の放送受信装置を提供する。
（４）請求項４に記載の発明では、放送データの前記端末装置への送信中において、前記視聴予約番組の開始から所定時間前の視聴予約確認時間に到達した場合、当該端末装置に視聴予約番組を視聴するか否かを問い合わせる視聴確認手段を備え、前記予約手段は、前記視聴確認手段による問合せに対して前記端末装置から視聴する旨の回答を受信した場合に、当該視聴予約番組の放送データを前記端末装置に送信する、ことを特徴とする請求項１、請求項２、又は請求項３に記載の放送受信装置を提供する。
（５）請求項５に記載の発明では、前記予約手段は、前記視聴確認手段による問合せに対して前記端末装置から視聴しない旨の回答を受信した場合に、前記送信中の放送データを端末装置に送信する、ことを特徴とする請求項４に記載の放送受信装置を提供する。
（６）請求項６に記載の発明では、前記視聴予約番組が開始する前に前記端末装置に送信していた状態を視聴予約開始前状態として記憶する視聴予約開始前状態記憶手段、を備え、前記予約手段は、前記端末装置に送信した視聴予約番組の放送データが終了した場合に、前記視聴予約開始前状態記憶手段に記憶した視聴予約開始前状態に戻す、ことを特徴とする請求項１から請求項５のうちのいずれか１の請求項に記載の放送受信装置を提供する。
（７）請求項７に記載の発明では、前記視聴予約開始前状態記憶手段は、前記視聴予約番組が開始する前に前記端末装置に送信していた放送データのチャンネルを記憶し、前記予約手段は、前記端末装置に送信した視聴予約番組の放送データが終了した場合に、前記視聴予約開始前状態記憶手段に記憶したチャンネルの放送データを前記端末装置に送信する、ことを特徴とする請求項６に記載の放送受信装置を提供する。
【発明の効果】
【０００９】
本発明によれば、少なくとも通信接続手段により端末装置との無線通信が接続されている状態において、視聴予約番組が開始する場合、放送データの出力先として端末装置を選択するので、視聴予約した番組を端末装置で見逃すことなく、また、複雑な操作なしで継続して端末装置で視聴継続することができる。
【図面の簡単な説明】
【００１０】
【図１】本実施形態が適用される放送受信装置の外観構成と、放送データ受信システムの構成についての説明図である。
【図２】ＴＶ装置の構成図である。
【図３】視聴予約開始前における、放送データをＴＶ装置とスマホの何れか一方で表示するストリーミング処理の動作の一部を表したフローチャートである。
【図４】視聴予約開始前における、放送データをＴＶ装置とスマホの何れか一方で表示するストリーミング処理の動作の残りを表したフローチャートである。
【図５】ストリーミング処理における、ＴＶ装置の画面状態を表した説明図である。
【図６】ストリーミング処理における、スマホの画面状態を表した説明図である。
【図７】予約操作における各種操作に応じた画面遷移を表したものである。
【図８】ストリーミングプログラム／アプリにおける視聴予約出力処理について表したフローチャートである。
【図９】視聴予約出力処理におけるＬＣＤとスマホの表示画面を表した説明図である。
【図１０】第２実施形態における視聴予約出力処理について表したフローチャートである。
【図１１】録画予約出力処理について表したフローチャートである。
【図１２】従来の放送受信装置と端末装置での表示画面の変化を表した説明図である。
【発明を実施するための形態】
【００１１】
以下、本発明の放送受信装置における好適な実施形態について、図１から図１１を参照して詳細に説明する。
（１）実施形態の概要
本実施形態の放送受信装置において、視聴予約がされていない場合や視聴予約時間前である場合、放送受信装置のチューナで受信した放送データは、当該放送データの受信を選択（指定）をした装置（放送受信装置又は端末装置）に表示する。
例えば、放送受信装置で放送データを表示している状態で、端末装置から別ＣＨ（チャンネル）の視聴要求があると、放送受信装置は、受信中のＣＨの変更と、端末装置への出力先の切り替えを行い、放送データを端末装置に送信する。この出力先の切り替えに伴い、放送受信装置の画面は、スライドショーや消灯状態となる。
逆に放送データを端末装置に送信中において、放送データに関する入力操作が放送受信装置で行われると、放送受信装置は、端末装置への送信を終了し、出力先を端末装置への送信から自装置への出力に切り替える。端末装置では、放送データの受信ができなくなると、視聴可能な録画リストを表示する。
【００１２】
本実施形態では、放送データを端末装置に送信している際に、視聴予約時間となった場合に放送受信装置は、視聴予約された番組のＣＨに変更する（視聴中のＣＨと同じ場合にはそのままとする）が、その出力対象を端末装置から放送受信装置に切り替えることなく、変更後のＣＨの放送データを端末装置に継続して送信（出力）する。
これにより、視聴予約したＣＨを見逃すことなく、また、面倒な操作をすることなく、端末装置で継続して視聴することが可能になる。
【００１３】
なお、放送受信装置は、視聴予約時間から所定時間（ｎ分）前の視聴予約確認時間に、現在視聴中のＣＨでの視聴を継続するか、それとも視聴予約されたＣＨに変更して視聴するかについて端末装置に問い合わせ、端末装置からの選択結果に応じて送信する放送データを変更するようにしてもよい。
また、視聴ＣＨを視聴予約されたＣＨに変更して端末装置に送信を継続する場合、放送受信装置は、変更前の状態（送信ＣＨや、送信中の録画データ）を記憶しておき、視聴予約された番組が終了した後に、記憶しておいた元の送信ＣＨや録画データを送信することで、元の状態に戻すようにしてもよい。
【００１４】
本実施形態の機能によれば、端末装置で視聴予約した番組以外の番組を見ていたことが原因で、視聴予約をした見たい番組を見逃すことを防ぐことがでる。
また、視聴予約を設定した番組が開始するタイミングで視聴予約をしたテレビでテレビ放送を視聴しているか、もしくは、別の端末装置でテレビ放送を視聴しているかに関係なく視聴予約番組を確実に視聴することができる。
【００１５】
（２）実施形態の詳細
図１は本実施形態が適用される放送受信装置の外観構成と、放送受信装置を利用した放送データ受信システムの構成について表したものである。
図１（ａ）に示すように、本実施形態の放送受信装置１はタブレット型の受信装置である。放送受信装置１は、テレビ放送やラジオ放送等の各種放送を受信するアンテナ４１を備え、受信したテレビ放送などの画像を表示する表示画面（ＬＣＤ）６１と、視聴予約等の各種操作を行う本体キー７１が配設されている。
なお、以下の実施形態では、テレビ放送を受信する場合を例に説明し、放送受信装置１としてＴＶ装置１と表記することとする。
【００１６】
図１（ｂ）に示すように、放送データ受信システムは、テレビ塔や衛星から送信される放送データなどを受信する本実施形態のＴＶ装置１と、端末装置２により構成されている。端末装置２としては、ＴＶ装置１との間で通信可能なスマートフォンや携帯電話、タブレット端末などの各種携帯端末装置が使用される。
本実施形態では端末装置２として、スマートフォンを使用する場合について説明する。以下端末装置２をスマホ２として説明する。
【００１７】
ＴＶ装置１とスマホ２とは、各種規格の通信により接続可能に構成されている。通信方式としては、Ｗｉ−Ｆｉ（Ｗｉｒｅｌｅｓｓ  Ｆｉｄｅｌｉｔｙ（登録商標））通信や、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ  ２０００）規格に準拠した３Ｇや、ＩＭＴ−Ａｄｖａｎｃｅｄ  規格に準拠した４Ｇにより接続される。
これにより、スマホ２からは、メールや自装置で撮影した写真データ等がＴＶ装置１に送信されたり、視聴したい放送データや録画データがＴＶ装置１に要求されたりする。
一方、ＴＶ装置１からは、スマホ２の要求に基づく放送データや録画データがスマホ２に送信される。
本実施形態では、ＴＶ装置１とスマホ２間で放送データや録画データを送受信する場合には、Ｗｉ−Ｆｉ通信による場合を例に説明するが、基地局を経由した３Ｇや４Ｇによることも可能である。
【００１８】
図２はＴＶ装置１の構成を表したものである。
図２に示されるように、ＴＶ装置１は、本実施形態における視聴予約制御や、受信中の放送データをスマホ２に送信（転送）するストリーミング制御のほか、入力操作に対応する制御等の装置全体を各種制御する制御部１０を備えている。
制御部１０は、本実施形態における放送データの受信、転送、及び、録画に関する各種制御、保存されている静止画データを使用してスライドシーを行う制御、外部装置との通信制御、その他の各種制御をプログラムに従って行うＣＰＵと、基本プログラムが保存されるＲＯＭ、各種制御を行う場合の作業領域としてのＲＡＭ等を備えている。
この制御部１０には、時計２０、記憶部３０、チューナ部４０、通信制御部５０、出力部６０、入力部７０が接続されている。
【００１９】
時計２０は、時刻情報として現在の日時を年月日時分秒の単位で計測し、計測した時刻情報を制御部１０に供給する。時刻情報については、所定タイミング毎に供給するようにしてもよく、制御部１０からの要求に応じて供給するようにしてもよい。
【００２０】
記憶部３０は、ハードディスクや不揮発性メモリ等の各種記憶媒体で構成されている。この記憶部３０には、プログラム３１、予約リスト３２、録画データ３３、その他のデータが保存される。
プログラム３１には、予約プログラム、ストリーミングプログラム、その他の各種プログラムが記憶される。
予約プログラムは、視聴や録画を希望する時刻やＣＨ（チャンネル）を指定することで視聴予約や録画予約を行うプログラムである。
ストリーミングプログラムは、スマホ２からの要求により指定されたＣＨの放送データを受信してスマホ２に転送するプログラムである。なお、視聴予約プログラムにより視聴予約された番組の出力先の決定、切り替え等については、ストリーミングプログラムにより処理される。
【００２１】
その他のプログラムとしては、例えば、ＴＶ装置１や他の通信機器から送信される静止画等の受信及び保存を行うとともに、入力操作にしたがい保存した画像をスライドショーとして順次表示するスライドショープログラム等がある。
なお、記憶部３０に保存される各種プログラムについては、通信により適宜バージョンアップ可能に構成されているが、その全体又は一部（機能部分）をＲＯＭに保存するようにしてもよい。
【００２２】
予約リスト３２は、視聴予約や録画予約の操作がされる毎に保存される予約情報のリストである。
この予約情報としては、視聴予約又は録画予約された番組（放送データ）の放送ＣＨ（ＣＨ）、放送開始時間Ｔ１、放送終了時間Ｔ２、番組名等の番組情報、視聴予約と録画予約を区別する区別情報（録画予約フラグ、視聴予約フラグ）が保存される。
ここで、放送開始時間Ｔ１が視聴予約時間や録画予約時間となるが、放送開始時間Ｔ１よりも所定時間Ｔ１ａ（例えば、１分）だけ前の時間を視聴予約時間、録画予約時間としてもよい。また、放送終了時間Ｔ２が視聴終了時間や録画終了時間となるが、放送終了時間Ｔ２よりも所定時間Ｔ２ａだけ後の時間を視聴終了時間、録画終了時間としてもよい。この場合、所定時間Ｔ１ａ、Ｔ２ａについては、開始、終了に要する時間を考慮し、視聴予約と録画予約とで異なる時間を規定するようにしてもよい。
【００２３】
なお、予約リスト３２には、視聴予約情報のリストと、録画予約情報のリストを別々に保存するようにしてもよく、この場合には区別情報の保存は不要である。
【００２４】
視聴予約、録画予約は、ＴＶ装置１が放送データに含まれる電子番組表（ＥＰＧ：Ｅｌｅｃｔｒｏｎｉｃ  Ｐｒｏｇｒａｍ  Ｇｕｉｄｅ）を画面表示し、ユーザが希望する番組の選択操作を行うことで予約が行われる。ＴＶ装置１は、選択された番組の電子番組情報から、予約情報を予約リスト３２に保存する。
【００２５】
録画データ３３は、録画予約された番組を含め、受信した放送データが保存される。各録画データ３３には、放送データの他に、録画情報が保存される。録画情報は録画済みの放送データを選択して視聴する際に、録画一覧としてリスト表示される（図６（ハ）参照）。録画情報としては、予約情報と同一内容が保存される。
【００２６】
記憶部３０に保存されるその他のデータとしては、スライドショーで使用される画像データとしての静止画像や動画像の画像データ等がある。
この画像データは、スマホ２や携帯電話等の外部装置から受信する場合のほか、ＴＶ装置１が備える撮像装置（カメラ）で撮像する場合が含まれる。この画像データは、ＴＶ装置１に表示される場合のほか、ＴＶ装置１が放送データと同様にスマホ２に送信（転送）することで、スマホ２に表示することも可能である。
画像データが静止画像である場合には、スライドショーとして画像データが順次表示、送信される。
【００２７】
チューナ部４０は、各種放送データを受信するアンテナ（本実施形態ではテレビアンテナ４１）が接続されている。チューナ部４０は、テレビアンテナ４１を介して受信した放送データのうち、ユーザが選局したＣＨの放送データを視聴可能にする。制御部１０は、視聴可能になった放送データを出力部６０に出力し、また、スマホ２に転送し、録画データ３３に保存する。
【００２８】
通信制御部５０は、各種外部機器との間で所定の規格に応じた通信を行うための制御部であり、本実施形態では３Ｇ又は／及び４Ｇ通信用の３Ｇ／４Ｇアンテナ５１と、Ｗｉ−Ｆｉ通信用のＷｉ−Ｆｉアンテナ５２が接続されている。
本実施形態の通信制御部５０では、制御部１０による制御のもと、チューナ部４０で受信した放送データをＷｉ−Ｆｉアンテナ５２を介してスマホ２に送信（転送）することで、放送データ送信手段の一部として機能している。
【００２９】
出力部６０は、ＬＣＤ６１とスピーカ６２を備えている。
ＬＣＤ６１は、受信した放送データ、録画データ、スライドショー等の画像を表示する液晶表示装置である。ＬＣＤ６１は、ＴＶ装置１の各種機能に応じて必要な各種操作を行うための操作キーを画像表示する。
【００３０】
スピーカ６２は、受信した放送データや録画データなどの音声を出力する音声出力装置である。
この本実施形態のスピーカ６２からは、録画予約や視聴予約を行う際にＬＣＤ６１に表示される操作画面に対応した、設定操作の音声ガイダンスが出力されるが、音声ガイダンス機能は搭載しないことも可能である。
【００３１】
放送データや録画データの実際の出力先は、画像がＬＣＤ６１で、音声がスピーカ６２である。但し、説明を簡略するために、以下の説明では、放送データ等の出力先をＬＣＤ６１として説明することとする。
【００３２】
入力部７０は、各種設定操作を行うための入力装置として、本体キー７１、リモコン７２、タッチパネル７３、マイクを備えている。
本体キー７１は、図１（ａ）に示すように、各種入力、選択操作を行うための操作キーとして、ＴＶ選択キー、メニューキー、戻るキー、ＯＫキー、上下左右方向の各移動キーが、ＬＣＤ６１側の本体面に配置されている。
また、図示しないが、本体キー７１として、電源のオンオフを行う電源キーが本体側面に配設されている。
【００３３】
リモコン７２は、近距離無線通信によりＴＶ装置１の入力操作を行う入力機器である。
タッチパネル７３は、ＬＣＤ６１の表面に配置される入力機器で、ＬＣＤ６１に画面表示された各種操作キーに対応した、ユーザのタッチ位置を特定し、当該タッチ位置に対応して表示された操作キーの入力を受け付ける。
【００３４】
なお、ＴＶ装置１が備える撮像装置（カメラ）で動画を撮像する場合用に、入力部７０は、音声を入力するためのマイク（図示しない）を備えている。
この本実施形態のＴＶ装置１には存在しない機能ではあるが、３Ｇ／４Ｇ通信を使用し、携帯電話やスマートフォンなどの外部機器との間で通話を行う通話機能を搭載するようにしてもよい。この場合には、マイクが通話用のマイクとしても使用される。
【００３５】
次に、放送データ受信システムを構成するスマホ２について説明する。
スマホ２は、その構成としてＣＰＵ、ＲＯＭ、ＲＡＭを備えた制御部、ＴＶ装置１との間で通信や通話機能を実現するための通信部、各種画像を表示する画像表示部、記憶部、各種操作を行う入力部を備えている。
スマホ２の記憶部には、各種のアプリケーションソフトが記憶されるほか、電話機能に関連して保存される電話帳情報、通話履歴情報、ＴＶ装置１から受信した録画情報や番組情報などが記憶される。スマホ２の記憶部に記憶されるアプリケーションソフトとしては、ＴＶ装置１と共に放送データ受信システムを構成するためのプログラム（以下、ストリーミングアプリという）が記憶される。このストリーミングアプリは、商品出荷時においてプリインストールされている場合と、インターネット等を経由してインストールされる場合とがある。
【００３６】
スマホ２の通信部は、通話用のアンテナの他、Ｗｉ−Ｆｉアンテナを備えており、ＴＶ装置１とＷｉ−Ｆｉ通信を行うことで、放送データ受信要求に関する情報を送信し、また、送信される放送データを受信するようになっている。
この放送データの受信に関連する各種動作は、ユーザによって選択されたストリーミングアプリに従ってスマホ２の制御部により実行される。
【００３７】
次に、以上の通り構成された、ＴＶ装置１とスマホ２からなる放送データ受信システムの動作について説明する。
図３、図４は、視聴予約開始前における、放送データをＴＶ装置１とスマホ２の何れか一方で表示するストリーミング処理の動作を表したフローチャートである。
図５は、ストリーミング処理における、ＴＶ装置１の画面状態を表した説明図である。
図６は、ストリーミング処理における、スマホ２の画面状態を表した説明図である。
このストリーミング処理の前提として、ＴＶ装置１とスマホ２は相互にＷｉ−Ｆｉ接続が完了しているものとし、両者間の通信はＷｉ−Ｆｉによるものとする。
【００３８】
いまＴＶ装置１は、ＴＶ装置１の操作により指定されたＣＨの放送データ（以下、ＣＨデータという）を受信しているものとする。この状態では、スマホ２からの要求がないため、ＴＶ装置１は、受信したＣＨデータを出力部６０のＬＣＤ６１とスピーカ６２から出力する。これにより、図５（ａ）に示すように、ＴＶ装置１のＬＣＤ６１にＣＨデータが表示され、ユーザは、ＴＶ装置１においてＣＨデータ（サッカー中継）の視聴中となる（ステップ１１Ｔ）。
【００３９】
一方、スマホ２側では制御部が、ストリーミングアプリが起動されたか否かを監視している（ステップ１１Ｓ）。
ストリーミングアプリは、図６（イ）に示すように、スマホ２の画像表示部１６１のトップ画面（ホーム画面／待ち受け画面）に表示されている各種アプリアイコンの中から、ストリーミングアプリアイコン１６２をユーザが選択する事で起動される。
スマホ２の制御部では、ストリーミングアプリが起動されると（ステップ１１Ｓ；Ｙ）、起動完了までの間、図６（ロ）に示すように、起動画面を画像表示部１６１に表示する（ステップ１２Ｓ）。
【００４０】
そして、ストリーミングアプリが起動されると、スマホ２の制御部は、図６（ハ）に示すように、スマホ２で視聴可能な録画データのリスト１７３ｂを一覧表示する（ステップ１３Ｓ）。
なお、フローチャートには示していないが、本実施形態では、ストリーミングアプリを起動した直後にスマホ２がＴＶ装置１に視聴可能な録画データを要求し、ＴＶ装置１から送信される録画データを記憶部に保存した上で、図６（ハ）の一覧表示を行うようになっている。
但し、起動時において既に録画データが記憶部に保存されている場合には保存済みの録画データを表示し、保存されていない場合や最後の登録から所定時間Ｎ時間（例えばＮ＝２４時間）が経過している場合には、ストリーミングアプリが起動した後にＴＶ装置１に問い合わせるようにしてもよい。
また、ＴＶ装置１において、新規追加や削除により録画データの内容に変更があった場合に、ＴＶ装置１がＷｉ−Ｆｉ接続された際にスマホ２に送信するようにしてもよい。
【００４１】
次に、スマホ２の制御部は、図６（ハ）に示す録画一覧画面においてユーザの選択操作を監視する（ステップ１４Ｓ）。すなわちスマホ２の制御部は、画像表示部１６１の上部に表示されているテレビアイコン１７３ａ、又は、録画データのリスト１７３ｂの何れが選択されたかについて監視する。
【００４２】
ユーザにより何れかの録画データが選択された場合（ステップ１４；Ｎ）、スマホ２の制御部は、選択された録画データの再生処理を行う（ステップ１５Ｓ）。
すなわち、スマホ２の制御部は、選択された録画データを特定する特定情報をＴＶ装置１に送信することで、当該録画データの送信を要求する。これに対してＴＶ装置１では、要求された録画データの再生を行いながら再生データをスマホ２に送信する。この再生データの送信は、放送データ（ＣＨデータ）のストリーミング送信ではないので、ＴＶ装置１では、出力中（視聴中）のＣＨデータの出力（視聴）が継続される。
【００４３】
一方、ユーザによりテレビアイコン１７３ａが選択されると（ステップ１４Ｓ；Ｙ）、スマホ２の制御部は、出力対象切り替え要求を行う（ステップＳ１６Ｓ）。すなわち、スマホ２の制御部は、ＴＶ装置１に対して切り替え要求と選択されたＣＨ情報（ＣＨを特定する情報）を送信する。なお、ＣＨ情報は送信せず、切り替え要求だけを送信するようにしてもよい。この場合、ＴＶ装置１で出力されているＣＨまたは、現在設定されているＣＨのＣＨデータが送信される。
その後、スマホ２の制御部は、切り替え要求に応じてＴＶ装置１からＣＨデータが送信されるまでのあいだ、図６（ニ）に示すように、切り替え待ち画面を表示し（ステップ１７Ｓ）、ＣＨデータの受信を監視する（ステップ１８Ｓ）。
【００４４】
ＴＶ装置１の制御部１０では、テレビ視聴中かスライドショーの出力中かにかかわらず、スマホ２から切り替え要求が送信されたか否かを常時監視している（ステップ１２Ｔ）。
切り替え要求を受信すると（ステップ１２Ｔ；Ｙ）、制御部１０は、切り替え予告表示を行う（ステップ１３Ｔ）。
すなわち、図５（ａ）に示すように、ＴＶ装置１でテレビ視聴中である場合において、ＣＨデータをストリーミング表示（出力）できるのは１画面だけであるため、スマホ２からの要求により、視聴対象（出力対象）の切り替えを行う必要がある。そこで、ＴＶ装置１の制御部１０は、切り替える前に、ＬＣＤ６１の表示画面上に、例えば図５（ｂ）に示すように「専用アプリ側が視聴を開始したため、テレビ視聴を終了します。スライドショーに切り替えます。」と表示することで、テレビ視聴の終了を告知する（ステップ１３Ｔ）。
なお、本実施形態のＴＶ装置１では、テレビ視聴中において切り替え要求を受信した場合のデフォルト処理としてスライドショーへの切り替えが規定されているため、上記告知内容が表示されるが、切り替えにより画面の消灯をデフォルトの設定としてもよい。また、スライドショーと画面消灯の何れかをデフォルト処理とし、ユーザが他方に設定を切り替えられるようにしてもよい。
【００４５】
次に、ＴＶ装置１の制御部１０は、ＣＨデータの出力対象をＬＣＤ６１からスマホ２（通信制御部５０を介しての送信）に切り替える（ステップ１４Ｔ）。これにより、チューナ部４０で受信したＣＨデータは、通信制御部５０、Ｗｉ−Ｆｉアンテナ５２を介してスマホ２に送信（転送）される。
なお、切り替え要求にＣＨ（ＣＨ）の指定がある場合、ＴＶ装置１の制御部１０は、チューナ部４０で受信するＣＨを指定されたＣＨに変更した後にＣＨデータをスマホ２に送信する。ＣＨの指定が無い場合には、現在受信中のＣＨデータをスマホ２に送信する。
【００４６】
ＴＶ装置１の制御部１０は、出力対象を切り替えた後、図５（ｃ）に示すように、注意画面をＬＣＤ６１に表示する（ステップ１５Ｔ：図４）。
そして、制御部１０は、注意画面に表示したＯＫボタンがユーザによって選択（画面タッチ）されたか否かを監視する（ステップ１６Ｔ）。
ＯＫボタンが選択されると（ステップ１６Ｔ；Ｙ）、制御部１０は、デフォルトの設定に従い、図５（ｄ）に示すように、静止画を順次表示するスライドショーをＬＣＤ６１に表示する。
【００４７】
一方、スマホ２では、ＴＶ装置１から送信されるＣＨデータを受信すると（ステップ１８Ｓ；Ｙ）、制御部は、図６（ホ）に示すように、受信したＣＨデータを画像表示部１６１に表示する。
図６（ホ）に示した例では、ＴＶ装置１でサッカー中継を視聴中であったのに対し、ステップ１６Ｓで他ＣＨ（△ＴＶのＣＨ）を指定したことにより、当該ＣＨで現在放送中の数学の学習が表示されている。
なお、ＴＶ装置１からはＣＨデータと共に電子番組表がスマホ２に送信され、スマホ２の制御部は、図６（ホ）に示すように、ＣＨデータ（放送データ）１６１ａを画面表示するほか、受信する電子番組表に従い、現在視聴中のＣＨ情報１６１ｂと、ＣＨ情報１７３ｃを表示する。
【００４８】
図３、４のフローチャートには表示していないが、スマホ２に表示されているＣＨ情報１７３cで、現在視聴中のＣＨ以外のＣＨがユーザにより選択されると、スマホ２の制御部は、選択されたＣＨへの変更要求をＴＶ装置１に送信し、ＴＶ装置１では要求されたＣＨに変更したＣＨデータをスマホ２に送信する。
これによりスマホ２では、例えば、図６（ホ）の数学の学習から、図６（ヘ）の野球中継に変更される。
【００４９】
このようにＴＶ装置１からＣＨデータを送信することでスマホ２でテレビ視聴をしている状態において、ＴＶ装置１では入力部７０による操作がされたか否かを監視している（ステップ１７Ｔ）。
操作が選択され、その操作がテレビ視聴の選択でない場合（ステップ１７Ｔ；Ｎ）、制御部１０は、操作内容に対応した表示を行う（ステップ１８Ｔ）。例えば、制御部１０は、選択操作に応じて画面を消灯したり、図５（ｄ）に示すようにスライドショーを表示したり、録画データを再生表示したりする。
【００５０】
一方、ユーザによる選択操作がテレビ視聴の選択である場合（ステップ１７Ｔ；Ｙ）、ＴＶ装置１の制御部１０は、チューナ部４０で受信中のＣＨデータの出力対象を、スマホ２側からＴＶ装置１側に切り替える（ステップ１９Ｔ〜２１Ｔ）。
すなわち、ＴＶ装置１の制御部１０は、最初にスマホ２に対して切り替え通知（ステップ１９Ｔ）をした後、所定時間ｔの経過後にＣＨデータの出力対象をスマホ２からＬＣＤ６１に切り替える（ステップ２０Ｔ）。本実施形態の場合、所定時間ｔとして１０秒が設定されているが、ユーザ変更可能なｎ秒としてもよい。
この出力対象の切り替えにより、ＴＶ装置１の通信制御部５０からスマホ２に送信されていたＣＨデータの送信が終了する。
そして、ＬＣＤ６１には、図５（ｅ）に示されるように、切り替え直前にスマホ２に送信していたＣＨデータ、即ち野球中継のＣＨデータが表示される。
なお、ステップ１４Ｔ（図３）において出力対象をＬＣＤ６１からスマホ２に切り替える際に、それまでＴＶ装置１で視聴していたＣＨをＲＡＭに記憶しておき、ステップ２０Ｔ（図４）で出力対象をＬＣＤ６１に戻す際には、ＲＡＭに記憶しておいたＣＨに戻したうえでＬＣＤ６１に出力するようにしてもよい。この場合、ＬＣＤ６１に表示されるのは、野球中継ではなく、図５（ａ）に示すサッカー中継が出力される。
【００５１】
一方、スマホ２の制御部では、ＴＶ装置１から送信されるＣＨデータを視聴しているあいだ、ＴＶ装置１からの切り替え通知を受信したか否かを監視しており（ステップ２０Ｓ）、切り替え通知がなければ（ステップ２０Ｓ；Ｎ）、ＴＶ装置１から送信されるＣＨデータの表示を継続する（ステップ１９Ｓ）。
そして、ＴＶ装置１からの切り替え通知を受信すると（ステップ２０Ｓ；Ｙ）、スマホ２の制御部は、ＴＶ装置１からのＣＨデータ送信が終了するまでの間、画像表示部１６１に切り替え通知を表示する（ステップ２１Ｓ）。切り替え通知の表示としては、例えば、図６（ト）に示すように、「ＴＶ装置がテレビ視聴を開始しました。視聴を中止します。」等の表示を行う。
【００５２】
そして切り替え通知の後にＴＶ装置１からのＣＨデータ送信が終了するので、スマホ２の制御部は、ＣＨデータを受信できなくなった時点で、録画一覧表示を行う（ステップ２２Ｓ）。この録画一覧画面は、ステップ１３Ｓ（図３）で表示した録画一覧と同様であるが、この間に録画情報が更新されていれば最新の録画一覧が表示される。
以後、ステップ１３Ｓ以降の動作と同様である。
なお、ＴＶ装置１装置からの切り替え通知を受信した場合、切り替え通知を表示した後に、ストリーミングアプリを終了するようにしてもよい。
【００５３】
以上説明したように、チューナ部４０で受信したＣＨデータのリアルタイムでの表示については、ＴＶ装置１のＬＣＤ６１と、スマホ２の画像表示部１６１の何れか一方に出力対象を切り替えて表示される。そして、ＣＨデータの表示対象（切り替え先）は、ＴＶ装置１とスマホ２のうち、ＣＨデータの視聴の操作を最後にした側に切り替えられる。
【００５４】
次に、ＴＶ装置１における視聴予約及び録画予約を行う場合の予約処理について説明する。この予約処理は、記憶部３０の予約プログラムに従って行われる。
図７は、予約操作における各種操作に応じた画面遷移を表したものである。
予約操作は、例えば図７（ａ）に示すように番組を視聴している状態や、スライドショーの表示状態などの各種状態において、ユーザが予約番組の指定を行う。
すなわち、ユーザが本体キー７１（図１参照）のメニューボタンを選択すると、制御部１０は、ＬＣＤ６１に「番組表ボタン」を含む操作メニューを一覧表示する。このメニュー一覧で、ユーザにより番組表ボタンが選択されると、制御部１０は、図７（ｂ）の番組表を表示する。
図７（ｂ）に示すように番組表には、予約番組の放送日欄６１ａ、ＣＨ表示欄６１ｂ、番組欄６１ｃが表示される。
ＣＨ表示欄の左右に表示されているＣＨ変更ボタン「＜」「＞」を選択（タッチ）することで、又は、本体キー７１の左右ボタン「←」「→」を選択（押下）することで、他のＣＨに変更することができる。制御部１０は、変更されたＣＨで放送される各番組を番組欄６１ｃに放送時間順にリスト表示する。
ＣＨに対して表示されている番組の変更や選択（決定）については、本体キー７１の操作による。すなわち、図７（ｂ）の例では、他の番組と背景色により区別されている「探偵△△△」が仮選択されているが、「○○ニュース」などの他番組を選択する場合には本体キー７１の上下ボタン「↑」「↓」を選択する。
予約したい番組を仮選択した状態で本体キー７１の「ＯＫ」ボタンを選択することで予約番組が決定される。
【００５５】
ＯＫボタンが選択されると、制御部１０は、選択された番組の番組情報をＲＡＭに一時記憶する。そして、制御部１０は、図７（ｃ）に示されるように、番組情報を詳細に示す番組詳細画面６１ｄを表示すると共に、タッチパネル入力用のソフトボタンである「録画予約」ボタン６１ｄ１と「視聴予約」６１ｄ２ボタンを画面の下方に表示する。
この番組詳細画面６１ｄにおいて、ユーザが「視聴予約」ボタン６１ｄ２を選択すると、制御部１０は、ＲＡＭに一時記憶しておいた番組情報と視聴予約フラグとを予約情報として予約リスト３２に保存する。その後、制御部１０は、図７（ｅ）に示すように、視聴予約完了画面６１ｆに「視聴予約しました」と所定時間ｔ２だけ表示した後、予約処理を終了する。
【００５６】
一方、図７（ｃ）の番組詳細画面６１ｄにおいて、ユーザが「録画予約」ボタン６１ｄ１を選択すると、制御部１０は、図７（ｄ）の録画予約設定画面６１ｅを表示し、繰り返し予約に関する設定、画質に関する設定、「ＯＫ」「キャンセル」の選択を求める。繰り返し予約「１回」と画質「フルセグ（低）」がデフォルトとして設定されており、変更する場合にユーザは、該当する設定箇所をタッチする。
この録画予約設定画面６１ｅで「ＯＫ」ボタン６１ｅ１が選択されると、制御部１０は、ＲＡＭに一時記憶しておいた番組情報と録画予約フラグとを予約情報として予約リスト３２に保存し、予約処理を終了する。
なお、図７（ｅ）の視聴予約完了画面６１ｆと同様に、「録画予約しました」と録画予約完了画面を所定時間ｔ３だけ表示した後に終了するようにしてもよい。
【００５７】
図７（ｄ）の録画予約設定画面６１ｅにおいて、「キャンセル」ボタン６１ｅ２が選択された場合、制御部１０は、ＲＡＭに一時記憶した番組情報を削除し、予約操作を終了する。
【００５８】
以上説明した視聴予約操作では、視聴予約した番組をＴＶ装置１とスマホ２の何れで視聴するかについての設定はされない。
本実施形態では、ＴＶ装置１がＣＨデータを送信する対象は１台のスマホ２（端末装置）であることを前提にしている。
そのため、ＴＶ装置１の制御部１０は、視聴予約時刻、又は、視聴予約確認時刻（後述）において、スマホ２とＷｉ−Ｆｉ接続されていれば、視聴対象をスマホ２とし、視聴予約番組のＣＨデータをスマホ２に送信する。一方、Ｗｉ−Ｆｉ接続されていなければ、制御部１０は、ＣＨデータをＬＣＤ６１に出力する。
【００５９】
但し、図７（ｃ）に示した番組詳細画面６１ｄで「視聴予約」ボタン６１ｄ２が選択された場合、視聴対象をＴＶ装置１にするか、スマホ２にするかについての視聴選択画面を表示するようにしてもよい。視聴選択画面には、ＴＶ装置１を選択する「テレビ」アイコンと、スマホ２を選択する「スマホ」アイコンを表示し、何れかが選択された後に図７（ｅ）の視聴予約完了画面６１ｆを表示する。
このように視聴対象の選択を可能にする場合に、制御部１０は、選択された視聴対象についても予約情報として予約リスト３２に保存する。
【００６０】
次に、スマホ２でＣＨデータを視聴中に視聴予約時間になった場合の視聴予約出力処理について説明する。
図８は、ストリーミングプログラム／アプリにおける視聴予約出力処理について表したフローチャートである。
図９は、視聴予約出力処理におけるＬＣＤ６１とスマホ２の表示画面を表した説明図である。
前提として、ＴＶ装置１からＣＨデータ（ＣＨ：０１のサッカー中継）をスマホ２に送信し、スマホ２の画像表示部１６１には、図９（イ）に示すように、サッカー中継が表示されているものとする。また、ＣＨ：０２の数学の学習（△ＴＶの△×□）が視聴予約され、予約リスト３２に保存されているものとする。
この状態において、ＴＶ装置１のＬＣＤ６１では、図９（ａ）に示すように、画面消灯もしくはスライドショーが表示されているものとする。
【００６１】
ＴＶ装置１の制御部１０は、ストリーミングプログラムに従い、時計２０から取得した時間が、予約リスト３２に保存されている視聴予約の視聴予約時間到達したか否かを監視している（ステップ３１Ｔ）。
視聴予約時間に到達した場合（ステップ３１Ｔ；Ｙ）、ＴＶ装置１の制御部１０は、チューナ部４０で受信しているＣＨを、視聴予約ＣＨに変更する（ステップ３２Ｔ）。
そして、制御部１０は、ＴＶ装置１以外の他端末でＣＨデータを視聴中であったか否かを確認する（ステップ３３Ｔ）。この視聴中か否かの確認は、視聴予約ＣＨに変更する前にスマホ２にＣＨデータを送信していれば視聴中である（；Ｙ）と判断し、送信していなければ視聴中でない（；Ｎ）と判断する。
【００６２】
他端末（スマホ２）で視聴中でない場合（但し、この場合は上記前提以外の場合である。ステップ３３Ｔ；Ｎ）、制御部１０は、視聴を開始した視聴予約番組（ＣＨ：０２の数学の学習）をＬＣＤ６１に出力する（ステップ３４Ｔ）。
これにより、画面消灯もしくはスライドショーを表示していたＬＣＤ６１は、図９（ｂ）に示すように、ＣＨ：０２の数学の学習が表示される。
【００６３】
一方、他端末（スマホ２）で視聴中である場合（ステップ３３Ｔ；Ｙ）、ＴＶ装置１の制御部１０は、ステップ３２Ｔで変更したＣＨ：０２のＣＨデータ（数学の学習）を、出力先の変更をせずにそのまま継続してスマホ２に出力する。
これにより、スマホ２ではストリーミングアプリに従い、ＴＶ装置１から送信されるＣＨデータを表示し続けるので、スマホ２の画像表示部１６１は、ＣＨ：０１のサッカー中継（図９（イ））から、視聴予約していたＣＨ：０２の数学の学習（図９（ロ））に自動的に切り替わる。
【００６４】
このように、本実施形態によれば、視聴予約時間以前からＣＨ：０１のサッカー中継を視聴していたスマホ２では、視聴予約時間の到達によりＴＶ装置１からＣＨ変更して送信されるＣＨ：０２の数学の学習の視聴が可能になる。すなわち、スマホ２で別番組を見ていたとしても、予約時間に自動的に視聴予約番組に切り替わるため、ユーザは予約番組を見逃すことがない。また、ＴＶ装置１の制御部１０は、視聴予約番組の開始はＴＶ装置１がＣＨを変更する処理であり、スマホ２からの操作が無くても、ＣＨデータの出力先をＴＶ装置１のＬＣＤ６１に切り替えず、継続してスマホ２にするので、視聴予約番組をスマホ２側に切り替えるといった操作が不要になる。
【００６５】
次に、スマホ２でＣＨデータを視聴中に視聴予約時間になった場合の視聴予約出力処理の第２実施形態について説明する。
図８で説明した視聴予約出力処理では、視聴予約時間に到達した場合に、スマホ２で視聴中（出力対象がスマホ２）であれば、視聴予約番組の視聴をそのままスマホ２で継続する場合について説明した。
これに対して第２実施形態では、視聴予約を設定した番組の開始時刻前において、スマホ２でＣＨデータの視聴や、ＴＶ装置１から送信される録画データを視聴していた場合、ポップアップ表示等により、スマホ２のユーザに視聴予約のＣＨに切り替えるか、現状のＣＨを継続するかを選択させるようにしたものである。
すなわち、視聴予約時間から所定時間ｍだけ前の（例えば、１分前）視聴予約確認時間に、予約された視聴予約番組の視聴を希望するかを確認し、希望する場合に視聴予約番組にＣＨを変更し、希望しない場合には現在のＣＨを継続する。
【００６６】
図１０は、第２実施形態における視聴予約出力処理について表したフローチャートである。
この視聴予約出力処理についても、第１実施形態と同様に前提として、スマホ２側では、ＴＶ装置１から送信されるＣＨ：０１のサッカー中継（図９（イ））を視聴し、ＴＶ装置１側では画面消灯もしくはスライドショーを視聴（図９（ａ））しているものとし、ＣＨ：０２の数学の学習が視聴予約されているものとする。
【００６７】
ＴＶ装置１の制御部１０は、ストリーミングプログラムに従い、時計２０から取得した時間が、視聴予約確認時間に到達したか否かを監視している（ステップ４１Ｔ）。この視聴予約確認時間は、予約リスト３２に保存されている視聴予約番組の視聴予約時間から所定時間ｍだけ前の時間であり、本実施形態では所定時間ｍとして１分が規定されている。
従って、ＴＶ装置１の制御部１０は、予約リスト３２の視聴予約時間を予め読み込み、ＲＡＭに保存しておき、視聴予約時間からｎ前に到達したか否かを監視する。
なお、所定時間ｍについては、デフォルト値をｍ＝１分とし、視聴予約の設定操作においてユーザ操作により所定時間ｍを変更できるようにしてもよい。これにより、ユーザは自分の仕事や生活のペース、時間帯等に合わせて自由に視聴予約の確認をすることができる。
【００６８】
視聴予約確認時間に到達した場合（ステップ４１Ｔ；Ｙ）、制御部１０は、ＴＶ装置１以外の他端末でＣＨデータを視聴中であったか否かを確認する（ステップ４２Ｔ）。すなわち、制御部１０は、現在スマホ２にＣＨデータを送信していれば視聴中である（；Ｙ）と判断し、送信していなければ視聴中でない（；Ｎ）と判断する。
他端末（スマホ２）で視聴中でない場合（但し、この場合は上記前提以外の場合である。ステップ４２Ｔ；Ｎ）、制御部１０は、視聴予約時間に視聴予約番組（ＣＨ：０２の数学の学習）にＣＨを変更し、ＬＣＤ６１に出力する（ステップ４３Ｔ）。
これにより、画面消灯もしくはスライドショーを表示していたＬＣＤ６１は、図９（ｂ）に示すように、ＣＨ：０２の数学の学習が表示される。
【００６９】
他端末（スマホ２）で視聴中である場合（ステップ４２Ｔ；Ｙ）、ＴＶ装置１の制御部１０は、スマホ２に対して視聴予約を通知する（ステップ４４Ｔ）。この視聴予約通知では、スマホ２に、視聴予約された番組情報も合わせてスマホ２に送信される。
一方、ＴＶ装置１から送信されるＣＨデータ（ＣＨ：０１のサッカー中継）を視聴中であるスマホ２では、ＴＶ装置１から視聴予約通知がされたか否かを監視している（ステップ４１Ｓ）。
視聴予約通知を受信すると（ステップ４１Ｓ；Ｙ）、スマホ２の制御部は、図９（ハ）に示すように、現在視聴中の画面（ＣＨ：０１のサッカー中継）に、視聴予約開始確認画面をポップアップ表示する（ステップ４２Ｓ）。
この視聴予約開始確認画面では、図９（ハ）に示されるように、その旨の報知「あと１分で予約番組を視聴開始します。」と、番組名やＣＨ、時間等の番組簡易情報を表示すると共に、この視聴予約番組を視聴するかしないかを確認するための選択キー、すなわち、「視聴しない」キーと「視聴する」キーを表示する。
【００７０】
スマホ２の制御部は、この視聴予約開始確認画面において、ユーザにより選択されたキーを監視する（ステップ４３Ｓ）。そしてスマホ２の制御部は、「視聴しない」キーが選択された場合（ステップ４３Ｓ；Ｎ）には継続（視聴しない旨の回答）を、「視聴する」キーが選択された場合（ステップ４３Ｓ；Ｙ）には視聴予約を、それぞれユーザによる選択結果としてＴＶ装置１に送信する。
【００７１】
ＴＶ装置１では、スマホ２に視聴予約を通知（ステップ４４Ｔ）した後、スマホ２から選択結果が送信されたか否かを監視する（ステップ４５Ｔ）。
送信された選択結果が継続（視聴しない旨の回答）である場合、すなわち、視聴予約でない場合（ステップ４５Ｔ；Ｎ）、ＴＶ装置１の制御部１０は、現在送信中であるＣＨデータ（ＣＨ：０１のサッカー中継）の送信を継続する。
この場合、ＴＶ装置１では、継続してＣＨ：０１のサッカー中継を送信するので、ＴＶ装置１のＬＣＤ６１には、視聴予約番組であるＣＨ：０２の数学の学習を表示することはなく、図９（ａ）に示すように画面消灯もしくはスライドショーの表示が継続される。
なお、ＴＶ装置１は、視聴予約された視聴予約番組をチューナ部４０で受信することはないので、記憶部３０の予約リスト３２から該当する視聴予約のデータを削除するようにしてもよい。
【００７２】
一方、スマホ２から送信される選択結果が視聴予約である場合（ステップ４５Ｔ；Ｙ）、ＴＶ装置１の制御部１０は、ＲＡＭに格納した当該視聴予約番組の視聴予約時間に到達したか否かを監視する（ステップ４６Ｔ）。
視聴予約時間に到達した場合（ステップ４６Ｔ；Ｙ）、ＴＶ装置１の制御部１０は、チューナ部４０で受信しているＣＨを、視聴予約ＣＨに変更する（ステップ４７Ｔ）。
これにより、スマホ２ではストリーミングアプリに従い、ＴＶ装置１から送信されるＣＨデータを表示し続けるので、スマホ２の画像表示部１６１は、ＣＨ：０１のサッカー中継（図９（イ））から、視聴予約していたＣＨ：０２の数学の学習（図９（ロ））に自動的に切り替わる。
【００７３】
次に、スマホ２でＣＨデータを視聴中に視聴予約時間になった場合の視聴予約出力処理の第３実施形態について説明する。
図１０で説明した視聴予約出力処理では、ＴＶ装置１の制御部１０は、視聴予約された番組が終了した後も、同一ＣＨのまま継続してＣＨデータをスマホ２に送信している。
これに対して、第３実施形態では、視聴予約番組が終了した際に、ＴＶ装置１の制御部１０は、視聴予約番組の開始前にスマホ２で動作していた状態（テレビ視聴や、録画データの再生）に自動的に戻すものである。
【００７４】
第３実施形態の動作は、視聴予約番組の終了以外の動作は、第２実施形態と同じであるので図１０のフローチャートを参照し、図１０と異なる点について説明する。
すなわち、第３実施形態の視聴予約出力処理では、ＴＶ装置１の制御部１０は、視聴予約番組が終了した後に元の状態に戻すための情報、すなわち、視聴予約開始前情報をＲＡＭに一時記憶しておく。すなわち、制御部１０は、視聴予約時間に到達した場合にチューナ部４０で受信するＣＨを視聴予約ＣＨに変更する（ステップ４７Ｔ）が、この処理の前にスマホ２に送信していた元のＣＨを視聴予約開始前情報としてＲＡＭに一時記憶しておく。
【００７５】
ＴＶ装置１の制御部１０は、視聴予約番組が終了したか否かを監視する。番組の終了については、その番組の番組情報から終了時間に到達したか否かにより判断する。
ＴＶ装置１の制御部１０は、視聴予約番組が終了した場合、チューナ部４０による受信ＣＨを、視聴予約番組のＣＨ（ＣＨ：０２の数学の学習）から、視聴予約開始前状態としてＲＡＭに記憶しておいた元のＣＨ（ＣＨ：０１）に戻す（受信ＣＨの変更をする）。
これにより、ＴＶ装置１の制御部１０は、戻した元のＣＨ：０１をスマホ２に送信する。この場合、ＴＶ装置１からスマホ２に元のＣＨのＣＨデータが送信されるが、視聴予約番組終了後も元のＣＨ：０１の番組が継続していればＣＨ：０１のサッカー中継（図９（イ）参照）が送信され、視聴予約番組中にサッカー中継が終了していれば、ＣＨ；０１で現在放送中の番組（例えば、ＣＨ：０１のニュース速報など）が送信される。
【００７６】
次に、スマホ２でＣＨデータを視聴中に録画予約時間になった場合の録画予約出力処理について説明する。
この録画予約出力処理では、スマホ２へのＣＨデータの送信を終了し、録画予約された場合をＴＶ装置１の録画データ３３に録画するものである。
図１１は、録画予約出力処理について表したフローチャートである。
この録画予約出力処理についても、視聴予約出力処理の場合と同様に前提として、スマホ２側では、ＴＶ装置１から送信されるＣＨ：０１のサッカー中継（図９（イ））を視聴し、ＴＶ装置１側では画面消灯もしくはスライドショーを視聴（図９（ａ））しているものとする。そして、予約リスト３２には、ＣＨ：０２の数学の学習が録画予約されているものとする。
【００７７】
ＴＶ装置１の制御部１０は、ストリーミングプログラムに従い、時計２０から取得した時間が、録画予約確認時間に到達したか否かを監視している（ステップ５１Ｔ）。この録画予約確認時間は、予約リスト３２に保存されている録画予約の録画予約時間から所定時間ｍ２だけ前の時間であり、本実施形態では所定時間ｍ２として、視聴予約出力処理の場合の所定時間ｍ１と同様に１分が規定されている。但し、視聴予約出力処理と異なりスマホ２側での選択はないので、録画予約の場合の所定時間ｍ２は、所定時間ｍ１より短い時間、例えば、ｍ２＝３０秒を規定するようにしてもよい。この所定時間ｍ２についても、所定時間ｍ１と同様に、ユーザが変更できるようしてもよい。
【００７８】
録画予約確認時間に到達した場合（ステップ５１Ｔ；Ｙ）、ＴＶ装置１の制御部１０は、スマホ２に対して録画予約通知を行うと共に、自装置のＬＣＤ６１に録画予約表示（図９（ｃ）参照）をポップアップ表示する（ステップ５２Ｔ）。スマホ２に対する録画予約通知については、視聴予約通知の場合と異なり、録画予約された番組情報は送信しない。
なお、録画予約確認時間になった場合に、第２実施形態（図１０：ステップ４２Ｔ）と同様に、他ＣＨで視聴中か否かを判断し、視聴中であればスマホ２への録画予約通知と録画予約表示を行い（ステップ５２Ｔ）、視聴中でなければスマホ２への録画予約通知をせずに録画予約表示（図９（ｃ））だけをするようにしてもよい。
【００７９】
一方、ＴＶ装置１から送信されるＣＨデータ（ＣＨ：０１のサッカー中継）を視聴中であるスマホ２では、ＴＶ装置１から録画予約通知がされたか否かを監視している（ステップ５１Ｓ）。
録画予約通知を受信すると（ステップ５１Ｓ；Ｙ）、スマホ２の制御部は、図９（ニ）に示すように、現在視聴中の画面（ＣＨ：０１のサッカー中継）に、視聴停止予告画面をポップアップ表示する（ステップ５２Ｓ）。
この視聴停止予告画面では、図９（ニ）に示されるように、その旨の表示「録画予約時間になりました。ＴＶ装置がテレビ録画を開始するため、視聴を終了します。」を行う。
そしてスマホ２の制御部では、ＴＶ装置１からのＣＨデータの送信が終了したか否かを監視する（ステップ５３Ｓ）。
【００８０】
ＴＶ装置１の制御部１０は、ステップ５２Ｔの後、録画予約時間に到達したか否かを監視し、録画予約時間に到達した場合（ステップ５３Ｔ；Ｙ）、ＣＨデータの出力対象をスマホ２から自装置のＬＣＤ６１に切り替えると共に、チューナ部４０の受信ＣＨを録画予約ＣＨに変更する（ステップ５４Ｔ）。
この出力対象の切り替えにより、ＴＶ装置１からスマホ２に送信されていたＣＨデータの送信が終了する。
そして、ＣＨデータの出力対象の切り替えにより、ＴＶ装置１の制御部１０は、録画予約ＣＨのＣＨデータをＬＣＤ６１に出力すると共に、録画データ３３に保存する。
なお、録画中のＣＨデータについては、ＴＶ装置１のＬＣＤ６１に出力しないようにしてもよく、録画しながらＴＶ装置１のＬＣＤ６１で視聴をするか否かを録画予約の際にユーザが選択するようにしてもよい。
【００８１】
視聴予約出力処理の第３実施形態と同様に、録画終了後に、ＴＶ装置１の制御部１０は、出力対象を再度ＬＣＤ６１からスマホ２に切り替えて、スマホ２へのＣＨデータの送信を再開するようにしてもよい。
この場合も、第３実施形態と同様に、ＴＶ装置１の制御部１０部は、元のＣＨ、すなわち、録画を開始するために出力対象を切り替える（ステップ５４Ｔ）前にスマホ２に送信してたＣＨを録画予約開始前情報としてＲＡＭに一時記憶しておく。
そしてＴＶ装置１の制御部１０は、録画終了後にチューナ部４０による受信ＣＨを元のＣＨに戻すと共に、出力対象をスマホ２に切り替える（戻す）。
【００８２】
一方、スマホ２の制御部では、ＣＨデータの送信終了によりＣＨデータを受信しなくなった場合（ステップ５３Ｓ；Ｙ）、図６（ハ）に示すように、スマホ２で視聴可能な録画データのリスト１７３ｂを一覧表示する（ステップ５４Ｓ）。
この録画一覧を表示した後の処理は、図３のすなわち、ステップ１３Ｓで録画一覧を表示した後と同じである。
【００８３】
以上説明したように本実施形態の放送受信装置によれば、端末装置で放送データを視聴中に視聴予約の時間になった場合であっても、視聴予約した番組を端末装置で見逃すことなく、また、面倒な操作をすることなく継続して予約番組を継続して視聴することができる。
以上説明したように本実施形態の放送受信装置によれば、原則としてＣＨデータの視聴は、最後に視聴の処理をした端末が視聴権を取得し、視聴権のある端末で視聴できるようにＣＨデータの出力対象を切り替えるのに対し、本実施形態では、端末装置でＣＨデータの視聴をしている際に視聴予約時間になった場合には、ＴＶ装置１は、視聴権を移動させずに、ＣＨデータを現在視聴中の端末装置に移譲する。
これにより、スマホ２等の端末装置で放送データを視聴中に視聴予約の時間になった場合であても、視聴予約した番組を端末装置で見逃すことなく、また、面倒な操作をすることなく継続して予約番組を継続して視聴することができる。
【００８４】
以上、本発明のＴＶ装置１における各実施形態について説明したが、本発明は説明した実施形態に限定されるものではなく、各請求項に記載した範囲において各種の変形を行うことが可能である。
例えば、図８、図１０、図１１で説明した第１〜第３実施形態の視聴予約出力処理では、スマホ２でＣＨデータを視聴中に視聴予約時間／視聴予約確認時間となった際に、視聴予約された番組をスマホ２に継続して送信する場合について説明した。
これに対して、視聴予約時間／視聴予約確認時間となった際に、既にスマホ２でＣＨデータを視聴している場合だけでなく、ＴＶ装置１から送信される録画データをスマホ２で視聴している場合、又は／及び、ＴＶ装置１からはデータ受信をしていないがＷｉ−Ｆｉ接続はされている場合においても、第１〜第３実施形態の視聴予約出力処理を適用するようにしてもよい。
【００８５】
この場合、第２、第３実施形態では、ステップ４７Ｔにおいて、ＴＶ装置１の制御部１０は、視聴中のＣＨをＲＡＭに一時記憶しておくのに対し、この変形例では、視聴予約前の状態をＲＡＭに一時記憶しておき、視聴予約番組が終了したら、一時記憶した元の状態に戻す。
例えば、スマホ２で録画データの再生中に視聴予約時間に到達した場合には、ＴＶ装置１の制御部１０は、再生中の録画データとその中断箇所を一時記憶しておき、視聴予約番組の終了後に、記憶しておいた録画データを中断箇所からの再生を継続する。
【００８６】
また、Ｗｉ−Ｆｉ接続はされているが、ストリーミングアプリが起動していない場合には、ＴＶ装置１の制御部１０は、スマホ２の制御部に対してストリーミングアプリの起動を要求し、起動後に視聴予約番組のＣＨデータをスマホ２に送信する。この場合、スマホ２におけるストリーミングアプリの起動時間分だけ視聴予約番組が見られなくなる可能性があるので、ＴＶ装置１の制御部１０は、起動時間に要する時間よりも所定時間ｔ４（例えば、１０秒）前に、起動要求を送信する。
この場合、ＴＶ装置１は視聴予約番組が終了した時点で、元の状態に戻すためにスマホ２に対してストリーミングアプリの終了を要求する。
但し、視聴予約したＣＨのＣＨデータを継続して視聴するか否かを、スマホ２の視聴者に問い合わせ、ＴＶ装置１の制御部１０は、「継続する」が選択されればそのままＣＨデータの送信を継続し、「終了する」が選択された場合にストリーミングアプリの終了をスマホ２に要求する。なお、この視聴者に対する問合せ等の処理については、全てスマホ２側のストリーミングアプリの処理として行うようにしてもよい。
【符号の説明】
【００８７】
１  放送受信装置、ＴＶ装置
１０  制御部
２０  時計
３０  記憶部
３１  プログラム
３２  予約リスト
３３  録画データ
４０  チューナ部
４１  テレビアンテナ
５０  通信制御部
５１  ３Ｇ／４Ｇアンテナ
５２  Ｗｉ−Ｆｉアンテナ
６０  出力部
６１  ＬＣＤ
６２  スピーカ
７０  入力部
７１  本体キー
７２  リモコン
７３  タッチパネル
２  端末装置、スマホ
【図１】
0006596271.tif 000002
【図２】
0006596271.tif 000003
【図３】
0006596271.tif 000004
【図４】
0006596271.tif 000005
【図５】
0006596271.tif 000006
【図６】
0006596271.tif 000007
【図７】
0006596271.tif 000008
【図８】
0006596271.tif 000009
【図９】
0006596271.tif 000010
【図１０】
0006596271.tif 000011
【図１１】
0006596271.tif 000012
【図１２】
0006596271.tif 000013